(57)【要約】【課題】  腰掛便器に腰掛けた状態で使用する際に、操作部を噴射口部からできるだけ離れた位置で操作できるようにし、操作性の向上を図るとともに、便器等の洗浄用にも有効に用いることができるようにして汎用性の向上を図る。【解決手段】  洗浄水が送給されるホース１の先端に取付けられ手で持って操作されてホース１から送給される洗浄水を噴射させるもので、ホース１から送給される洗浄水の入口及び出口を有した送給路が形成されるとともに送給路を開閉する開閉弁及び開閉弁の開閉操作を行う操作部１５を有した本体１０と、本体１０の送給路の出口側に設けられ送給路からの洗浄水を噴射する噴射口部３１を有したヘッド３０とを備え、本体１０とヘッド３０との間に本体１０の送給路に連通する連通路を有した棒状の延長パイプ４０を連設した。【選択図】  図１
2020062358.tif 000002
【特許請求の範囲】
【請求項１】
洗浄水が送給されるホースの先端に取付けられ手で持って操作されて上記ホースから送給される洗浄水を噴射させる局部洗浄装置において、
上記ホースから送給される洗浄水の入口及び出口を有した送給路が形成されるとともに該送給路を開閉する開閉弁及び該開閉弁の開閉操作を行う操作部を有した本体と、該本体の送給路の出口側に設けられ該送給路からの洗浄水を噴射する噴射口部を有したヘッドとを備え、上記本体とヘッドとの間に上記本体の送給路に連通する連通路を有した棒状の延長パイプを連設したことを特徴とする局部洗浄装置。
【請求項２】
側面から見て上記ヘッドの噴射口部の最外側点Ｓ１と上記操作部の最外側点Ｓ２との最短距離Ｄを、３００ｍｍ≦Ｄ≦６００ｍｍに設定したことを特徴とする請求項１記載の局部洗浄装置。
【請求項３】
上記延長パイプは、上記本体に連設され軸線Ｐ１を有した一般部と、上記ヘッドが連設され該ヘッドの噴射口部の軸線Ｒと同軸の軸線Ｐ２を有した先端部とを有して構成され、
上記一般部の軸線Ｐ１と上記先端部の軸線Ｐ２とのなす内側の角度θを９０°≦θ≦１１５°に設定したことを特徴とする請求項１または２記載の局部洗浄装置。
【請求項４】
側面から見て上記ヘッドの噴射口部の軸線Ｒ及び該噴射口部の表面の交点Ｋ１と、上記軸線Ｐ１及び軸線Ｐ２の交点Ｋ２との長さＬを、２５ｍｍ≦Ｌ≦７０ｍｍに設定したことを特徴とする請求項３記載の局部洗浄装置。
【請求項５】
上記本体は、上記ホースが取付けられ把持可能な軸線Ｑ１を有したグリップと、該グリップに一体に設けられるとともに上記延長パイプの一般部が連設され該一般部の軸線Ｐ１と同軸の軸線Ｑ２を有した連設部とを有して構成され、
上記操作部は、上記グリップの外側にグリップの軸方向に略沿って設けられ所定範囲に亘り揺動可能に設けられ、スプリングの付勢力により揺動させられて突出し上記開閉弁を閉にする閉位置及び上記グリップとともに握ることにより上記スプリングの付勢力に抗して押圧されて上記開閉弁を開にする開位置に移動可能なレバーで構成され、
上記グリップの軸線Ｑ１と上記連設部の軸線Ｑ２とのなす内側の角度αを９０°≦α≦１１５°に設定するとともに、平面から見ても、上記グリップの軸線Ｑ１と上記連設部の軸線Ｑ２に同軸の上記軸線Ｐ１及び軸線Ｐ２とのなす角度βが、９０°≦β≦１１５°になるように、上記本体とヘッドとの位置関係を定めたことを特徴とする請求項３または４記載の局部洗浄装置。
【請求項６】
上記本体と延設パイプとを雄ネジ及び雌ネジからなる第１ネジ手段により連設し、上記ヘッドと延設パイプとを雄ネジ及び雌ネジからなる第２ネジ手段により連設し、上記第１及び第２ネジ手段は、上記本体とヘッドとを直接連設可能に形成されていることを特徴とする請求項１乃至５何れかに記載の局部洗浄装置。
【発明の詳細な説明】
【技術分野】
【０００１】
本発明は、主にトイレに設置され身体の局部を洗浄するための局部洗浄装置に関する。
【背景技術】
【０００２】
従来、この種の局部洗浄装置としては、例えば、図８に示すように、腰掛便器Ｂに腰掛けたその使用者が、局部（臀部（肛門やその周辺），陰部等）を洗浄水で洗浄するものが知られており、例えば、特開２０１０−２５５３６６号公報（特許文献１）に掲載されている。図８に示すように、この局部洗浄装置Ｓａは、洗浄水が送給されるホース１００の先端に取付けられ、手で持って操作されてホース１００から送給される洗浄水を噴射させるもので、ホース１００から送給される洗浄水の送給路（図示せず）が形成されるとともに送給路を開閉する開閉弁（図示せず）及び開閉弁の開閉操作を行うレバーからなる操作部１０１を有した把持可能な本体１０２と、この本体１０２に近接して設けられ洗浄水を噴射する噴射口部１０３を有したヘッド１０４とを備えている。そして、これを使用するときは、本体１０２を把持し、ヘッド１０４の噴射口部１０３が所望の局部に向くように便器Ｂ内に挿入し、この状態で、本体１０２を握って操作部１０１を押圧する。これにより、噴射口部１０３から洗浄水が噴射され、使用者の局部を洗浄することができる。
【先行技術文献】
【特許文献】
【０００３】
【特許文献１】特開２０１０−２５５３６６号公報
【発明の概要】
【発明が解決しようとする課題】
【０００４】
ところで、上記従来の局部洗浄装置Ｓａにあっては、噴射口部１０３が操作部１０１のある本体１０２に近接して設けられているので、腰掛便器Ｂに腰掛けたその使用者が使用するときには、本体１０２を把持して便器Ｂ内に挿入しなければならない。そのため、手を伸ばさなければならないので、それだけ窮屈になり、また、その際、手が足に当たったり便器Ｂに当たったりし易く、噴射口部を所望の局所に向けて洗浄水を目標に向けて噴射させにくくなり、このため、操作性が極めて悪いという問題があった。また、手が便器Ｂ内に入ると手に洗浄後の汚水が付着しやすく、衛生面でも好ましくない。更に、この局部洗浄装置Ｓａを、便器Ｂやその周辺の掃除用に使用することもできるが、その場合にも、例えば、便器Ｂ内の隅に洗浄水を噴射させたい場合に、便器Ｂに手が当たるなどしやすいことから、この点でも操作性が悪く、汎用性に劣るという問題もある。
【０００５】
本発明は上記の問題点に鑑みて為されたもので、腰掛便器に腰掛けた状態で使用する際に、操作部を噴射口部からできるだけ離れた位置で操作できるようにし、操作性の向上を図るとともに、便器等の洗浄用にも有効に用いることができるようにして汎用性の向上を図った局部洗浄装置を提供することを目的とする。
【課題を解決するための手段】
【０００６】
このような目的を達成するための本発明の局部洗浄装置は、洗浄水が送給されるホースの先端に取付けられ手で持って操作されて上記ホースから送給される洗浄水を噴射させる局部洗浄装置において、
上記ホースから送給される洗浄水の入口及び出口を有した送給路が形成されるとともに該送給路を開閉する開閉弁及び該開閉弁の開閉操作を行う操作部を有した本体と、該本体の送給路の出口側に設けられ該送給路からの洗浄水を噴射する噴射口部を有したヘッドとを備え、上記本体とヘッドとの間に上記本体の送給路に連通する連通路を有した棒状の延長パイプを連設した構成としている。延長パイプは、直線状，曲線状など形状は適宜に形成して良い。
【０００７】
これにより、腰掛便器に腰掛けたその使用者が本装置を使用するときは、本体を把持しヘッドの噴射口部をこれが所望の局部に向くように便器内に挿入する。この状態で、本体の操作部を操作し、開閉弁を開にすると、噴射口部から洗浄水が噴射され、使用者の局部を洗浄することができる。この場合、本体とヘッドとの間に延長パイプを連設したので、本体の操作部とヘッドの噴射口部との間隔が大きくなり、その分、操作部を噴射口部からできるだけ離れた位置で操作できるようになり、操作性を大幅に向上させることができる。即ち、例えば、手を伸ばして便器内に本体を入れなくても操作ができるようにすることができ、その場合には、手が足に当たったり便器に当たったりしにくくなることから、噴射口部を所望の局所に向けて洗浄水を目標に向けて噴射させやすくなり、このため、操作性を大幅に向上させることができる。また、手を便器内に入れなくても操作ができるので、衛生面でも好ましいものとなる。
【０００８】
更に、この局部洗浄装置を、便器やその周辺の掃除用に使用することもできる。その場合にも、本体とヘッドとの間に延長パイプを連設したので、本体の操作部とヘッドの噴射口部との間隔が大きくなり、延長パイプを手で持って、ヘッドの噴射口部を目標部位に対峙させ易くなるとともに、操作部を噴射口部からできるだけ離れた位置で操作できるようになり、この点でも操作性を大幅に向上させることができ、汎用性を向上させることができる。例えば、便器内の隅に洗浄水を噴射させたい場合に、便器に手が当たりにくくなり、作業をやりやすくすることができる。
【０００９】
この場合、側面から見て上記ヘッドの噴射口部の最外側点Ｓ１と上記操作部の最外側点Ｓ２との最短距離Ｄを、３００ｍｍ≦Ｄ≦６００ｍｍに設定したことが有効である（図４参照）。６００ｍｍを超えると、操作部の位置が高くなり操作しにくくなる。望ましくは、３００ｍｍ≦Ｄ≦５５０ｍｍ、より望ましくは、３５０ｍｍ≦Ｄ≦５３０ｍｍである。この距離においては、操作部を確実に便器の外に位置させて操作することができるようになり、より確実に操作性を向上させることができる。
【００１０】
また、必要に応じ、上記延長パイプは、上記本体に連設され軸線Ｐ１を有した一般部と、上記ヘッドが連設され該ヘッドの噴射口部の軸線Ｒと同軸の軸線Ｐ２を有した先端部とを有して構成され、
上記一般部の軸線Ｐ１と上記先端部の軸線Ｐ２とのなす内側の角度θを９０°≦θ≦１１５°に設定した構成としている（図４参照）。望ましくは、９１°≦θ≦１１４°、より望ましくは、９２°≦θ≦１１３°である。
これにより、噴射口部を所望の局所に向けやすくなり、洗浄水を目標に向けて噴射させやすくすることができる。
【００１１】
この場合、側面から見て上記ヘッドの噴射口部の軸線Ｒ及び該噴射口部の表面の交点Ｋ１と、上記軸線Ｐ１及び軸線Ｐ２の交点Ｋ２との長さＬを、２５ｍｍ≦Ｌ≦７０ｍｍに設定したことが有効である（図４参照）。
これにより、噴射口部をより一層所望の局所に向けやすくなり、洗浄水を目標に向けて噴射させやすくすることができる。
【００１２】
そしてまた、必要に応じ、上記本体は、上記ホースが取付けられ把持可能な軸線Ｑ１を有したグリップと、該グリップに一体に設けられるとともに上記延長パイプの一般部が連設され該一般部の軸線Ｐ１と同軸の軸線Ｑ２を有した連設部とを有して構成され、
上記操作部は、上記グリップの外側にグリップの軸方向に略沿って設けられ所定範囲に亘り揺動可能に設けられ、スプリングの付勢力により揺動させられて突出し上記開閉弁を閉にする閉位置及び上記グリップとともに握ることにより上記スプリングの付勢力に抗して押圧されて上記開閉弁を開にする開位置に移動可能なレバーで構成され、
上記グリップの軸線Ｑ１と上記連設部の軸線Ｑ２とのなす内側の角度αを９０°≦α≦１１５°に設定するとともに、平面から見ても、上記グリップの軸線Ｑ１と上記連設部の軸線Ｑ２に同軸の上記軸線Ｐ１及び軸線Ｐ２とのなす角度βが、９０°≦β≦１１５°になるように、上記本体とヘッドとの位置関係を定めた構成としている（図５参照）。
【００１３】
これにより、腰掛便器に腰掛けたその使用者が本装置を使用するとき、本体を把持しヘッドの噴射口部をこれが所望の局部に向くように便器内に挿入した際、特に、噴射口部を上向きにすると、本体のグリップが水平方向横向きになることから、便器に腰掛けた使用者がグリップ及び操作部を把持しやすくなり、そのため、操作性をより一層向上させることができる。
【００１４】
また、必要に応じ、上記本体と延長パイプとを雄ネジ及び雌ネジからなる第１ネジ手段により連設し、上記ヘッドと延長パイプとを雄ネジ及び雌ネジからなる第２ネジ手段により連設し、上記第１及び第２ネジ手段は、上記本体とヘッドとを直接連設可能に形成されている構成としている。
これにより、本体とヘッドとがネジ手段により直接連設された既存の製品がある場合に、延長パイプのネジ手段をこれに合わせて形成すれば、既存の本体とヘッドとを用いて装置を構成することを容易に行うことができ、装置を安価に提供することができる。
【発明の効果】
【００１５】
本発明によれば、腰掛便器に腰掛けたその使用者が本装置を使用するときは、本体を把持しヘッドの噴射口部をこれが所望の局部に向くように便器内に挿入し、この状態で、本体の操作部を操作して、噴射口部から洗浄水を噴射し、使用者の局部を洗浄することができるが、この場合、本体とヘッドとの間に延長パイプを連設したので、本体の操作部とヘッドの噴射口部との間隔が大きくなり、その分、操作部を噴射口部からできるだけ離れた位置で操作できるようになり、操作性を大幅に向上させることができる。即ち、例えば、手を伸ばして便器内に本体を入れなくても操作ができるようにすることができ、その場合には、手が足に当たったり便器に当たったりしにくくなることから、噴射口部を所望の局所に向けて洗浄水を目標に向けて噴射させやすくなり、このため、操作性を大幅に向上させることができる。また、手を便器内に入れなくても操作ができるので、衛生面でも好ましいものとなる。
【００１６】
更に、この局部洗浄装置を、便器やその周辺の掃除用に使用することもできる。その場合にも、本体とヘッドとの間に延長パイプを連設したので、本体の操作部とヘッドの噴射口部との間隔が大きくなり、延長パイプを手で持って、ヘッドの噴射口部を目標部位に対峙させ易くなるとともに、操作部を噴射口部からできるだけ離れた位置で操作できるようになり、この点でも操作性を大幅に向上させることができ、汎用性を向上させることができる。例えば、便器内の隅に洗浄水を噴射させたい場合に、便器に手が当たりにくくなり、作業をやりやすくすることができる。
【図面の簡単な説明】
【００１７】
【図１】本発明の実施の形態に係る局部洗浄装置を示す斜視図である。
【図２】本発明の実施の形態に係る局部洗浄装置を示す分解斜視図である。
【図３】本発明の実施の形態に係る局部洗浄装置を示し、（ａ）は正面図、（ｂ）は背面図である。
【図４】本発明の実施の形態に係る局部洗浄装置を示す側面図である。
【図５】本発明の実施の形態に係る局部洗浄装置を示す平面図である。
【図６】本発明の実施の形態に係る局部洗浄装置を示し、（ａ）は本体を一部切欠いて示す要部平面図、（ｂ）はヘッドの断面図である。
【図７】本発明の実施の形態に係る局部洗浄装置の使用状態を示す図である。
【図８】従来の局部洗浄装置をその使用状態で示す図である。
【発明を実施するための形態】
【００１８】
以下、添付図面に基づいて、本発明の実施の形態に係る局部洗浄装置について詳細に説明する。
図１乃至図７に示すように、実施の形態に係る局部洗浄装置Ｓは、洗浄水が送給される可撓性のホース１の先端に取付けられ、手で持って操作されてホース１から送給される洗浄水を噴射させるものである。本装置Ｓは、図７に示すように、例えば、腰掛便器Ｂを備えたトイレに設置され、腰掛便器Ｂに腰掛けたその使用者が、これを用いて、主に局部（臀部（肛門やその周辺），陰部等）を洗浄水で洗浄するのに用いる。
【００１９】
本装置Ｓの基本的構成は、ホース１先端に取付けられた本体１０と、本体１０からの洗浄水を噴射するヘッド３０と、本体１０とヘッド３０との間に連設される棒状の延長パイプ４０とを備えてなる。本体１０，ヘッド３０及び延長パイプ４０は、主に樹脂の成形品であって、表面に金属めっきが施され、軽量に製作されている。
【００２０】
本体１０は、主に、図２及び図６に示すように、ホース１から送給される洗浄水の入口１１及び出口１２を有した送給路１３が形成されるとともに送給路１３を開閉する開閉弁１４及び開閉弁１４の開閉操作を行う操作部１５を有して構成されている。詳しくは、本体１０は、送給路１３の入口１１がある端部にナット１６を介してホース１が取り付けられ把持可能な軸線Ｑ１を有したグリップ１７と、グリップ１７に一体に設けられるとともに送給路１３の入口１１がある端部に延長パイプ４０の後述の一般部４２が第１ネジ手段２０を介して連設されこの一般部４２の軸線Ｐ１と同軸の軸線Ｑ２を有した連設部１８とを有して構成されている。連設部１８の送給路１３の入口１１がある端部には、第１ネジ手段２０としての雄ネジ２１が形成されている。尚、ナット１６の形状，大きさや長さは適宜に定めることができる。長さを長くすると実質的に長いグリップにすることができる。
【００２１】
また、図５及び図６に示すように、グリップ１７の軸線Ｑ１と連設部１８の軸線Ｑ２とのなす内側の角度αは、９０°≦α≦１１５°に設定されている。本体１０において、軸線Ｑ１方向の外形寸法は、実施の形態では、９０ｍｍ〜１２０ｍｍ程度である。軸線Ｑ２方向の外形寸法は、実施の形態では、６０ｍｍ〜９０ｍｍ程度である。グリップ１７及び連設部１８の太さは、１０ｍｍ〜４０ｍｍ程度である。
【００２２】
操作部１５は、図６に示すように、グリップ１７の外側にグリップ１７の軸方向に略沿って設けられ所定範囲に亘り揺動可能に設けられ、スプリング１９の付勢力により揺動させられて突出し開閉弁１４を閉にする閉位置Ｘ及びグリップ１７とともに握ることによりスプリング１９の付勢力に抗して押圧されて開閉弁１４を開にする開位置Ｙに移動可能なレバーで構成されている。
【００２３】
ヘッド３０は、本体１０の送給路１３の出口１２側に設けられ送給路１３から延長パイプ４０を通して送給される洗浄水を噴射する噴射口部３１を有している。詳しくは、ヘッド３０は、図６に示すように、天面３２を有した円柱状若しくは円錐台状のカップ状に形成されており、天面３２に洗浄水が噴射される多数の細孔３３が形成され、噴射口部３１は、この多数の細孔３３が形成された天面３２で構成され、この噴射口部３１から洗浄水をシャワー状に噴射させる。ヘッド３０は、最大外径が１０ｍｍ〜４０ｍｍ、軸線Ｒ方向の外形寸法（高さ）が、２０ｍｍ〜４０ｍｍに形成されている。
また、ヘッド３０は、図２及び図６に示すように、延長パイプ４０の後述の先端部４３に、第２ネジ手段２５を介して連設されている。ヘッド３０の内側にはヘッド３０の噴射口部３１の軸線Ｒを軸とする第２ネジ手段２５としての雌ネジ２６が形成されている。
【００２４】
延長パイプ４０は、本体１０とヘッド３０との間に、本体１０の送給路１３に連通する連通路４１を有した棒状に形成され、その外径が、例えば、１０ｍｍ〜４０ｍｍ程度でのものである。詳しくは、図４乃至図６に示すように、延長パイプ４０は、本体１０に連設され軸線Ｐ１を有した一般部４２と、ヘッド３０が連設されヘッド３０の噴射口部３１の軸線Ｒと同軸の軸線Ｐ２を有した先端部４３とを有して構成されている。図２及び図６に示すように、延長パイプ４０の一般部４２の端部には、本体１０の連設部１８の端部に形成された第１ネジ手段２０としての雄ネジ２１に螺合する雌ネジ２２が形成され、延長パイプ４０の先端部４３の端部には、ヘッド３０に形成された第２ネジ手段２５としての雌ネジ２６に螺合する雄ネジ２７が形成されている。
【００２５】
即ち、本体１０と延長パイプ４０とは、雄ネジ２１及び雌ネジ２２からなる第１ネジ手段２０により連設され、ヘッド３０と延長パイプ４０とは、雌ネジ２６及び雄ネジ２７からなる第２ネジ手段２５により連設されている。また、この第１ネジ手段２０及び第２ネジ手段２５は、本体１０とヘッド３０とを直接連設可能に形成されている。詳しくは、本体１０の連設部１８に形成した雄ネジ２１に、ヘッド３０に形成した雌ネジ２６を螺合させて、本体１０とヘッド３０とを直接連設した延長パイプ４０のない短い装置を構成することができる。このことは、本体１０とヘッド３０とがネジ手段（雄ネジ２１及び雌ネジ２６）により直接連設された既存の製品がある場合に、延長パイプ４０のネジ手段（雌ネジ２２及び雄ネジ２７）をこれに合わせて形成すれば、既存の本体１０とヘッド３０とを用いて本装置Ｓを構成することを容易に行うことができることを意味し、この場合には、本装置Ｓを安価に提供することができる。
【００２６】
また、延長パイプ４０は、その外径が、例えば、１０ｍｍ〜４０ｍｍ程度で、一般部４２の軸線Ｐ１と先端部４３の軸線Ｐ２とのなす内側の角度θが、９０°≦θ≦１１５°に設定されている。望ましくは、９１°≦θ≦１１４°、より望ましくは、９２°≦θ≦１１３°である。実施の形態では、θ＝９８°に設定されている。
更に、図４に示すように、側面から見てヘッド３０の噴射口部３１の軸線Ｒ及び該噴射口部３１の表面の交点Ｋ１と、上記軸線Ｐ１及び軸線Ｐ２の交点Ｋ２との長さＬが、２５ｍｍ≦Ｌ≦７０ｍｍに設定されている。実施の形態では、Ｌ＝４５ｍｍに設定されている。
尚、側面から見てとは、軸線Ｐ１に直交する平面であってヘッド３０の噴射口部３１を上向きにしてこのヘッド３０の外側から本装置Ｓを見た図を正面図（図３（ａ））としたときの側面視（図４）を言う。
【００２７】
更にまた、延長パイプ４０は、図５に示すように、平面から見て、本体１０のグリップ１７の軸線Ｑ１と連設部１８の軸線Ｑ２に同軸の軸線Ｐ１及び軸線Ｐ２とのなす角度βが、９０°≦β≦１１５°になるように、本体１０とヘッド３０との位置関係を定めてこれらに連設されている。実施の形態では、α＝βである。
尚、平面から見てとは、軸線Ｐ１に直交する平面であってヘッド３０の噴射口部３１を上向きにしてこのヘッド３０の外側から本装置Ｓ見た図を正面図（図３（ａ））としたときの平面視（図５）を言う。
【００２８】
そしてまた、実施の形態においては、図４に示すように、側面から見てヘッド３０の噴射口部３１の最外側点Ｓ１と上記操作部１５の最外側点Ｓ２との最短距離Ｄが、３００ｍｍ≦Ｄ≦６００ｍｍに設定されている。６００ｍｍを超えると、操作部１５の位置が高くなり操作しにくくなる。望ましくは、３００ｍｍ≦Ｄ≦５５０ｍｍ、より望ましくは、３５０ｍｍ≦Ｄ≦５３０ｍｍである。
【００２９】
従って、実施の形態に係る局部洗浄装置Ｓによれば、図７に示すように、腰掛便器Ｂに腰掛けたその使用者が本装置Ｓを使用するときは、本体１０を把持しヘッド３０の噴射口部３１をこれが所望の局部に向くように便器Ｂ内に挿入する。この状態で、本体１０の操作部１５を操作し、開閉弁１４を開にすると、噴射口部３１から洗浄水が噴射され、使用者の局部を洗浄することができる。この場合、本体１０とヘッド３０との間に延長パイプ４０を連設したので、本体１０の操作部１５とヘッド３０の噴射口部３１との間隔が大きくなり、その分、操作部１５を噴射口部３１からできるだけ離れた位置で操作できるようになり、操作性を大幅に向上させることができる。即ち、例えば、手を伸ばして便器Ｂ内に本体１０を入れなくても操作ができるようにすることができ、その場合には、手が足に当たったり便器Ｂに当たったりしにくくなることから、噴射口部３１を所望の局所に向けて洗浄水を目標に向けて噴射させやすくなり、このため、操作性を大幅に向上させることができる。また、手を便器Ｂ内に入れなくても操作ができるので、衛生面でも好ましいものとなる。
【００３０】
この場合、側面から見てヘッド３０の噴射口部３１の最外側点Ｓ１と操作部１５の最外側点Ｓ２との最短距離Ｄを、３００ｍｍ≦Ｄ≦６００ｍｍに設定し、望ましくは、３００ｍｍ≦Ｄ≦５５０ｍｍ、より望ましくは、３５０ｍｍ≦Ｄ≦５３０ｍｍに設定したので、この距離においては、操作部１５を確実に便器Ｂの外に位置させて操作することができるようになり、より確実に操作性を向上させることができる。
【００３１】
また、延長パイプ４０において、一般部４２の軸線Ｐ１と先端部４３の軸線Ｐ２とのなす内側の角度θを９０°≦θ≦１１５°に設定し、望ましくは、９１°≦θ≦１１４°、より望ましくは、９２°≦θ≦１１３°、実施の形態では、θ＝９８°に設定したので、噴射口部３１を所望の局所に向けやすくなり、洗浄水を目標に向けて噴射させやすくすることができる。更に、側面から見てヘッド３０の噴射口部３１の軸線Ｒ及び噴射口部３１の表面の交点Ｋ１と、軸線Ｐ１及び軸線Ｐ２の交点Ｋ２との長さＬを、２５ｍｍ≦Ｌ≦７０ｍｍに設定したので、噴射口部３１をより一層所望の局所に向けやすくなり、洗浄水を目標に向けて噴射させやすくすることができる。
【００３２】
更にまた、延長パイプ４０は、図５に示すように、平面から見て、本体１０のグリップ１７の軸線Ｑ１と連設部１８の軸線Ｑ２に同軸の軸線Ｐ１及び軸線Ｐ２とのなす角度βが、９０°≦β≦１１５°になるように、本体１０とヘッド３０との位置関係を定めてこれらに連設されているので、腰掛便器Ｂに腰掛けたその使用者が本装置Ｓを使用するとき、本体１０を把持しヘッド３０の噴射口部３１をこれが所望の局部に向くように便器Ｂ内に挿入した際、特に、噴射口部３１を上向きにすると、本体１０のグリップ１７が水平方向横向きになることから、便器Ｂに腰掛けた使用者がグリップ１７及び操作部１５を把持しやすくなり、そのため、操作性をより一層向上させることができる。
【００３３】
そしてまた、この局部洗浄装置Ｓを、便器Ｂやその周辺の掃除用に使用することもできる。その場合にも、本体１０とヘッド３０との間に延長パイプ４０を連設したので、本体１０の操作部１５とヘッド３０の噴射口部３１との間隔が大きくなり、延長パイプ４０を手で持って、ヘッド３０の噴射口部３１を目標部位に対峙させ易くなるとともに、操作部１５を噴射口部３１からできるだけ離れた位置で操作できるようになり、この点でも操作性を大幅に向上させることができ、汎用性を向上させることができる。例えば、便器Ｂ内の隅に洗浄水を噴射させたい場合に、便器Ｂに手が当たりにくくなることもあり、作業をやりやすくすることができる。
【００３４】
尚、上記実施の形態にあって、第１ネジ手段２０において、雄ネジ２１が本体１０の連設部１８の端部に形成され、雌ネジ２２が延長パイプ４０の一般部４２の端部に形成される関係に構成され、第２ネジ手段２５において、雌ネジ２６がヘッド３０に形成され、雄ネジ２７が延長パイプ４０の先端部４３の端部に形成される関係に構成されているが、必ずしもこれに限定されるものではなく、第１ネジ手段２０において、雄ネジ２１が延長パイプ４０の一般部４２の端部に形成され、雌ネジ２２が本体１０の連設部１８の端部に形成される関係に構成され、第２ネジ手段２５において、雌ネジ２６が延長パイプ４０の先端部４３の端部に形成され、雄ネジ２７がヘッド３０に形成される関係に構成されても良く、適宜変更して差支えない。
【００３５】
また、上記実施の形態においては、延長パイプ４０を、本体１０及びヘッド３０に対して、第１ネジ手段２０及び第２ネジ手段２５を用いて連設したが、必ずしもこれに限定されるものではなく、接着などどのような手段を用いて連設しても良く、適宜変更して差支えない。更に、上記実施の形態では、本体１０の操作部１５をレバーで構成したが、必ずしもこれに限定されるものではなく、押しボタン式にする等適宜変更して差支えない。更にまた、実施の形態では、ヘッド３０をシャワー噴射状に形成しているが、必ずしもこれに限定されるものではなく、例えば、洗浄水が噴射される１つの吐出口が形成されたノズル状に形成しても良く、適宜変更して差支えない。要するに、本発明は、上述した実施の形態に限定されず、当業者は、本発明の新規な教示及び効果から実質的に離れることなく、これら例示である実施の形態に多くの変更を加えることが容易であり、これらの多くの変更は本発明の範囲に含まれる。
【符号の説明】
【００３６】
Ｓ  局部洗浄装置
Ｂ  便器
１  ホース
１０  本体
１１  入口
１２  出口
１３  送給路
１４  開閉弁
１５  操作部（レバー）
１７  グリップ
１８  連設部
１９  スプリング
Ｘ  閉位置
Ｙ  開位置
２０  第１ネジ手段
２１  雄ネジ
２２  雌ネジ
２５  第２ネジ手段
２６  雌ネジ
２７  雄ネジ
３０  ヘッド
３１  噴射口部
３２  天面
３３  細孔
４０  延長パイプ
４１  連通路
４２  一般部
４３  先端部
【図１】
2020062358.tif 000003
【図２】
2020062358.tif 000004
【図３】
2020062358.tif 000005
【図４】
2020062358.tif 000006
【図５】
2020062358.tif 000007
【図６】
2020062358.tif 000008
【図７】
2020062358.tif 000009
【図８】
2020062358.tif 000010